(57)【要約】      （修正有）【課題】携帯端末機に設置されたアプリまたは設置可能なアプリを地図上の当該位置に表示する携帯端末機のアプリ提供方法、そのための電子装置及びそれを実行するためのプログラムを記録したコンピュータ読み取り可能な記憶媒体を提供する。【解決手段】地図アプリ実行時に位置範囲にスケールされた地図を画面に表示する段階と、携帯端末機に格納された多数のアプリのうち位置範囲に対応する位置情報を有する設置アプリを検索する段階と、位置範囲及び設置アプリに対する情報を既定のアプリ提供サーバーに伝送する段階と、アプリ提供サーバーから位置範囲に対応する位置情報を有し携帯端末機に設置されていない未設置アプリ関連情報を受信する段階と、設置アプリのアイコン及び未設置アプリのアイコンを含むアイコンを地図上に表示する段階と、を含む。【選択図】図３
2014211866.tif 000002
【特許請求の範囲】
【請求項１】
携帯端末機のアプリケーション（Ａｐｐｌｉｃａｔｉｏｎ、以下、アプリと称す）提供方法において、
地図アプリケーション実行時に位置範囲（ｌｏｃａｔｉｏｎ  ｒａｎｇｅ）にスケールされた地図を画面に表示する段階と、
前記携帯端末機に格納された多数のアプリのうち前記位置範囲に対応する位置情報を有する設置アプリを検索する段階と、
前記位置範囲及び前記設置アプリに対する情報を既定のアプリ提供サーバーに伝送する段階と、
前記アプリ提供サーバーから、前記位置範囲に対応する位置情報を有し前記携帯端末機において設置されていない未設置アプリ関連情報を受信する段階と、
前記設置アプリのアイコン及び前記未設置アプリのアイコンを含むアイコンを前記地図上に表示する段階と、を含むことを特徴とする携帯端末機のアプリ提供方法。
【請求項２】
前記未設置アプリ関連情報は、
アプリの名前、アプリ位置情報及びアプリアイコンを含むことを特徴とする請求項１に記載の携帯端末機のアプリ提供方法。
【請求項３】
前記アイコンを前記地図上に表示する段階は、
前記設置アプリのアイコンと前記未設置アプリのアイコンが視覚的に区分できるように表示する段階であることを特徴とする請求項１に記載の携帯端末機のアプリ提供方法。
【請求項４】
前記設置アプリのうち位置情報を有しない設置アプリの位置情報を前記アプリ提供サーバーに要請する段階と、
前記要請した位置情報を受信する段階と、をさらに含むことを特徴とする請求項１に記載の携帯端末機のアプリ提供方法。
【請求項５】
前記地図に表示されたアプリアイコン上において発生する第１タッチイベントを感知する段階と、
前記第１タッチイベントが前記設置アプリのアイコンにおいて発生した場合、前記第１タッチイベントが発生した設置アプリを実行する段階と、
前記第１タッチイベントが前記未設置アプリのアイコンにおいて発生した場合、前記アプリ提供サーバーに接続する段階と、をさらに含むことを特徴とする請求項１に記載の携帯端末機のアプリ提供方法。
【請求項６】
前記地図に表示されたアプリアイコン上において発生する第２タッチイベントを感知する段階と、
前記第２タッチイベントが前記設置アプリのアイコンにおいて発生した場合、実行可能な機能を示すメニューリストを出力し、前記メニューリストから選択された機能を実行する段階と、
前記第２タッチイベントが前記未設置アプリのアイコンにおいて発生した場合、前記アプリ提供サーバーに接続する段階と、をさらに含むことを特徴とする請求項１に記載の携帯端末機のアプリ提供方法。
【請求項７】
前記第１タッチイベントが発生した設置アプリを実行する段階は、
前記携帯端末機の現在位置情報を確認する段階と、
前記設置アプリが提供するメニューのうち前記現在位置情報と関連したメニューを実行する段階と、を含むことを特徴とする請求項５に記載の携帯端末機のアプリ提供方法。
【請求項８】
アプリを提供するための電子装置において、
位置範囲にスケールされた地図を表示する表示部と、
前記電子装置に格納された多数のアプリのうち前記地図の位置範囲に対応する位置情報を有する設置アプリを検索し、前記位置範囲及び前記設置アプリに関する情報を前記アプリ提供サーバーに伝送し、前記位置範囲に対応する位置情報を有する未設置アプリ関連情報を前記アプリ提供サーバーから受信し、前記設置アプリのアイコン及び前記未設置アプリのアイコンを含むアイコンを前記地図上に表示する制御部と、を含むことを特徴とする電子装置。
【請求項９】
前記未設置アプリ関連情報は、
アプリの名前、アプリ位置情報及びアプリアイコンを含むことを特徴とする請求項８に記載の電子装置。
【請求項１０】
前記制御部は、
前記設置アプリのアイコンと前記未設置アプリのアイコンを視覚的に区分できるように表示することを特徴とする請求項８に記載の電子装置。
【請求項１１】
前記制御部は、
前記設置アプリのうち位置情報を有しない設置アプリの位置情報を前記アプリ提供サーバーに要請し、前記要請した位置情報を受信することを特徴とする請求項８に記載の電子装置。
【請求項１２】
前記制御部は、
第１タッチイベントが前記設置アプリのアイコンにおいて発生した場合、前記第１タッチイベントが発生した設置アプリを実行し、前記第１タッチイベントが前記未設置アプリのアイコンにおいて発生した場合、前記アプリ提供サーバーに接続することを特徴とする請求項８に記載の電子装置。
【請求項１３】
前記制御部は、
前記地図に表示されたアプリアイコン上において発生する第２タッチイベントを感知し、前記第２タッチイベントが前記設置アプリのアイコンにおいて発生した場合、実行可能な機能を示すメニューリストを出力し、前記メニューリストから選択された機能を実行し、前記第２タッチイベントが前記未設置アプリのアイコンにおいて発生した場合、前記アプリ提供サーバーに接続することを特徴とする請求項８に記載の電子装置。
【請求項１４】
前記制御部は、
第１タッチイベントが前記設置アプリのアイコンにおいて発生した場合、前記携帯端末機の現在位置情報を確認し、前記設置アプリが提供するメニューのうち前記現在位置情報と関連したメニューを実行することを特徴とする請求項８に記載の電子装置。
【請求項１５】
請求項１乃至７のいずれかに記載の携帯端末機のアプリケーションの提供方法を実行するためのプログラムを記録したことを特徴とするコンピュータ読み取り可能な記憶媒体。
【発明の詳細な説明】
【技術分野】
【０００１】
本発明は、携帯端末機のアプリ提供方法、そのための電子装置及びそれを実行するためのプログラムを記録したコンピュータ読み取り可能な記憶媒体に係り、より詳しくは、地図上の位置に連関して携帯端末機に設置（ｉｎｓｔａｌｌ）されたアプリまたは設置可能な位置ベースのアプリを表示する携帯端末機のアプリ提供方法、そのための電子装置及びそれを実行するためのプログラムを記録したコンピュータ読み取り可能な記憶媒体に関する。
【背景技術】
【０００２】
最近、情報通信技術と半導体技術などの目覚しい発展に伴い、携帯端末機の普及と利用が急速に増加している。これにより、前記携帯端末機は、現代人に必需品になり、ユーザが必要とする多様な機能を提供している。例えば、前記携帯端末機は、通話機能、イメージまたは動画撮影機能、放送受信機能、インターネット接続機能、地図サービス機能などの多様な機能を提供している。前記地図サービスは、特定地域の地形情報を２次元または３次元形態のイメージによりユーザに提供する。
【０００３】
一方、最近の携帯端末機は、多様なアプリケーション（Ａｐｐｌｉｃａｔｉｏｎ、以下、アプリ（ＡＰＰ））をアプリ提供サーバーからダウンロードして設置できる。例えば、前記携帯端末機のユーザは、銀行アプリ、レストランアプリ、映画館アプリなどをダウンロードして設置し、口座振込み、メニュー確認及び予約、映画前売りなどを利用でき、詳細情報を確認できる。
【０００４】
しかし、前記携帯端末機は、地図サービス機能とアプリの連動機能を提供していない。したがって、前記携帯端末機のユーザは、地図に表示中の特定建物（銀行、レストラン、デパートなど）に対する詳細情報を確認しようとする場合、該当建物に対する詳細情報を提供するアプリを別に実行させなければならない不便さが存在する。また、前記当該建物に対するアプリが設置されていない場合、ユーザは、アプリ提供サーバーに接続し、当該アプリをダウンロードして設置しなければならない不便さが存在する。
【発明の概要】
【発明が解決しようとする課題】
【０００５】
本発明は、前述した従来技術の問題点を解決するためになされたものであって、本発明の目的は、携帯端末機に設置されたまたは設置可能なアプリを地図上の関連位置に表示する携帯端末機のアプリ提供方法、そのための電子装置及びそれを実行するためのプログラムを記録したコンピュータ読み取り可能な記憶媒体を提供することにある。
【０００６】
本発明の他の目的は、地図上に表示されたアプリを実行、または設置できる携帯端末機のアプリ提供方法、そのための電子装置及びそれを実行するためのプログラムを記録したコンピュータ読み取り可能な記憶媒体を提供することにある。
【０００７】
本発明のさらに他の目的は、地図上に表示されたアプリが提供するメニューのうち前記アプリが表示された位置と関連したメニューをすぐ実行できる携帯端末機のアプリ提供方法、そのための電子装置及びそれを実行するためのプログラムを記録したコンピュータ読み取り可能な記憶媒体を提供することにある。
【課題を解決するための手段】
【０００８】
前記目的を達成するために、本発明の実施例による携帯端末機のアプリ提供方法は、地図アプリケーションの実行時に位置範囲（ｌｏｃａｔｉｏｎ  ｒａｎｇｅ）にスケールされた地図を画面に表示する段階と、前記携帯端末機に格納された多数のアプリのうち前記位置範囲に対応する位置情報を有する設置アプリを検索する段階と、前記位置範囲及び前記設置アプリに対する情報を既定のアプリ提供サーバーに伝送する段階と、前記アプリ提供サーバーから前記位置範囲に対応する位置情報を有し前記携帯端末機で設置されていない未設置アプリ関連情報を受信する段階と、前記設置アプリのアイコン及び前記未設置アプリのアイコンを含むアイコンを前記地図上に表示する段階と、を含むことを特徴とする。
【０００９】
本発明の実施例によるアプリ提供するための電子装置において、位置範囲にスケールされた地図を表示する表示部と、前記電子装置に格納された多数のアプリのうち前記地図の位置範囲に対応する位置情報を有する設置アプリを検索し、前記位置範囲及び前記設置アプリに関する情報を前記アプリ提供サーバーに伝送し、前記位置範囲に対応する位置情報を有する未設置アプリ関連情報を前記アプリ提供サーバーから受信し、前記設置アプリのアイコン及び前記未設置アプリのアイコンを含むアイコンを前記地図上に表示する制御部と、を含むことを特徴とする。
【００１０】
本発明の他の実施例による携帯端末機のアプリ提供方法は、地図表示要請に対応して地図を表示する段階と、前記表示された地図の位置範囲に対応する位置情報を有する少なくとも１つのアプリのアイコンを前記地図上に表示する段階と、を含み、前記少なくとも１つのアプリは、前記携帯端末機に設置された設置アプリ及び前記携帯端末機に設置可能な未設置アプリを含むことを特徴とする。
【００１１】
本発明の他の実施例による携帯端末機のアプリ提供方法をコンピュータで実行させるためのプログラムを記録したコンピュータで読み取り可能な記憶媒体において、前記方法は、地図表示要請に対応して地図を表示する段階と、前記表示された地図の位置範囲に対応する位置情報を有する少なくとも１つのアプリのアイコンを前記地図上に表示する段階と、を含み、前記少なくとも１つのアプリは、前記携帯端末機に設置された設置アプリ及び前記携帯端末機に設置可能な未設置アプリを含むことを特徴とする。
【発明の効果】
【００１２】
以上説明したように、本発明の実施例による携帯端末機のアプリ提供方法、そのための電子装置及びそれを実行するためのプログラムを記録したコンピュータ読み取り可能な記憶媒体は、位置情報を基盤として携帯端末機に設置された、または設置可能なアプリを地図上に表示できる。このように、位置情報を基盤としてアプリを表示することによって本発明の実施例は、アプリ利用の便宜性を向上させる。
【００１３】
また、本発明の実施例によれば、前記地図上に表示されたアプリが提供するメニューのうちアプリが表示された位置と関連したメニューをすぐ実行でき、ユーザの便宜性を向上させる。
【００１４】
また、本発明の実施例によれば、地図上に携帯端末機に未設置のアプリを表示することによって、ユーザのアプリのダウンロードを誘導する。これにより、アプリのダウンロード数を増加できる。
【図面の簡単な説明】
【００１５】
【図１】本発明の実施例によるアプリ提供システムを概略的に示す図である。
【図２】本発明の実施例による携帯端末機の構成を示すブロック図である。
【図３】本発明の実施例による携帯端末機のアプリ表示方法を説明するためのフローチャートである。
【図４】本発明の実施例による携帯端末機のアプリ表示方法を説明するための画面例示図である。
【図５】本発明の実施例による携帯端末機のアプリ表示方法を説明するための画面例示図である。
【図６】本発明の実施例による携帯端末機のアプリ実行及び設置方法を説明するためのフローチャートである。
【図７】本発明の実施例による携帯端末機のアプリ実行及び設置方法を説明するための画面例示図である。
【図８】本発明の実施例による携帯端末機のアプリ実行及び設置方法を説明するための画面例示図である。
【図９】本発明の実施例による携帯端末機のアプリ実行及び設置方法を説明するための画面例示図である。
【発明を実施するための形態】
【００１６】
以下、添付の図面を参照して本発明の好ましい実施例を詳しく説明する。添付の図面において同一の構成要素は、できるだけ同一の符号により示している。また、本発明の要旨を不明にする恐れのある公知の機能及び構成に関する詳細な説明は省略する。
【００１７】
一方、本明細書と図面により開示された本発明の実施例は、本発明の技術内容を分かりやすく説明し、本発明の理解を助けるために特定例を提示したものに過ぎず、本発明の範囲を限定しようとするものではない。本願に開示された実施例以外にも、本発明の技術的思想に基づく他の変形例が実施可能であるということは、本発明の属する技術分野における通常の知識を有する者に自明である。
【００１８】
詳細な説明に先立って、前記携帯端末機は、メッセージ送受信機能を提供する端末機であって、移動通信端末機、スマートフォン（Ｓｍａｒｔ  Ｐｈｏｎｅ）、タブレットパソコン（Ｐｅｒｓｏｎａｌ  Ｃｏｍｐｕｔｅｒ）、ハンド−ヘルド（ｈａｎｄ−ｈｅｌｄ）パソコン、携帯マルチメディアプレーヤー（Ｐｏｒｔａｂｌｅ  Ｍｕｌｔｉｍｅｄｉａ  Ｐｌａｙｅｒ、ＰＭＰ）、個人情報端末機（Ｐｅｒｓｏｎａｌ  Ｄｉｇｉｔａｌ  Ａｓｓｉｓｔａｎｔ、ＰＤＡ）、ノートパソコン（Ｎｏｔｅｂｏｏｋ  ＰＣ）などを含む。
【００１９】
図１は、本発明の実施例によるアプリ提供システムを概略的に示す図である。
図１を参照すれば、本発明の実施例によるアプリ提供システムは、携帯端末機１００、アプリ提供サーバー２００及び地図提供サーバー３００を含む。
【００２０】
地図提供サーバー３００は、地図データを提供し、前記地図データのアップデートサービスを提供する。前記地図データは、携帯端末機１００の画面に表示される２Ｄ（Ｄｉｍｅｎｓｉｏｎ）または３Ｄ形態の地形情報を示すイメージデータである。前記地図データは、多数の個体（ガソリンスタンド、食堂、デパート、銀行、劇場など）を含む。前記多数の個体は、位置情報を含む。地図提供サーバー３００は、地図データがアップデートされた場合、これを携帯端末機１００に通知し、携帯端末機１００からアップデート命令受信時に、アップデート情報を携帯端末機１００に伝送する。または、携帯端末機１００が地図データを格納しない場合、地図提供サーバー３００は、地図データの提供要請受信に対応して地図データを携帯端末機１００に伝送する。この際、地図提供サーバー３００は、携帯端末機１００の現在位置情報を伝送され、前記伝送された携帯端末機１００の現在位置情報を基準として一定範囲の地図データを携帯端末機１００に伝送する。また、地図提供サーバー３００は、携帯端末機１００からの位置移動、拡大または縮小などの命令に対応して地図データを変更し、前記変更された地図データを携帯端末機１００に伝送する。
【００２１】
アプリ提供サーバー２００は、携帯端末機１００に設置可能な多数のアプリ（ＡＰＰ）を提供する。アプリ提供サーバー２００は、多様なアプリを格納する。特に、本発明の実施例によるアプリ提供サーバー２００は、位置情報（緯度及び経度、またはアドレス情報）及び前記アプリが提供するメニュー情報を含むアプリを提供する。前記位置情報及びメニュー情報は、アプリのマニフェスト（Ｍａｎｉｆｅｓｔ）ファイルに含まれる。
【００２２】
アプリ提供サーバー２００は、携帯端末機１００から画面に表示中の地図領域の位置範囲（ｌｏｃａｔｉｏｎ  ｒａｎｇｅ）を受信する。前記表示中の地図領域の位置範囲に属する位置情報を有するアプリを検索する。アプリ提供サーバー２００は、検索された少なくとも１つのアプリ関連情報（アイコン、アプリの名前、位置情報及び要約情報）を携帯端末機１００に伝送する。一方、アプリ提供サーバー２００は、携帯端末機１００に設置されたアプリと未設置のアプリを区分して伝送する。このために、アプリ提供サーバー２００は、携帯端末機１００に設置された全体アプリ情報を携帯端末機１００から受信し、前記受信した全体アプリ情報と前記検索したアプリ情報を比較し、前記設置されたアプリと前記未設置のアプリを分類する。または、アプリ提供サーバー２００は、携帯端末機１００に設置された全体アプリのうち現在表示中の地図領域の位置範囲に含まれた位置情報を有するアプリの関連情報のみを受信し、前記受信したアプリ情報と前記検索したアプリ情報を比較し、前記設置されたアプリと前記未設置のアプリを分類する。一方、前記設置されたアプリと未設置のアプリの分類は、携帯端末機１００において行われることができる。このような場合、アプリ提供サーバー２００は、検索された全体アプリ情報を携帯端末機１００に伝送する。
【００２３】
また、アプリ提供サーバー２００は、携帯端末機１００から設置（またはダウンロード）要請を受信する場合、当該アプリの設置情報を携帯端末機１００に伝送する。また、アプリ提供サーバー２００は、携帯端末機１００から位置情報を含まないアプリ情報を受信する場合、前記受信されたアプリ情報の位置情報を確認した後、前記確認したアプリの位置情報を携帯端末機１００に伝送する。
【００２４】
携帯端末機１００は、地図表示要請に対応して、一定のサイズ（縮尺）の地図を表示する。この際、携帯端末機１００は、現在位置を基準として地図を表示するか、または最も最近表示された地図を表示する。前記地図は、地図提供サーバー３００から受信して格納し、アップデートされる。または、携帯端末機１００は、地図データを別に格納せず、地図表示要請時ごとに地図提供サーバー３００から地図データを受信して表示する。
【００２５】
携帯端末機１００は、表示された地図の位置範囲を確認し、前記表示中の地図の位置範囲に含まれる位置情報を有するアプリをアイコン形態により前記地図上に表示する。この際、携帯端末機１００は、設置されたアプリ（以下、設置アプリ）と未設置のアプリ（以下、未設置アプリ）を区分して表示する。詳細には、携帯端末機１００は、設置アプリの位置情報と前記表示中の地図の位置範囲を比較し、前記地図上に表示する設置アプリを検索する。また、携帯端末機１００は、アプリ提供サーバー２００から未設置アプリに対する情報を受信する。このために、前記携帯端末機１００は、表示中の地図領域の位置範囲及び前記検索した設置アプリに対する情報をアプリ提供サーバー２００に伝送し、アプリ提供サーバー２００から前記未設置アプリ関連情報のみを受信する。
【００２６】
または、携帯端末機１００は、前記地図の位置範囲と全体設置アプリ情報をアプリ提供サーバー２００に伝送し、アプリ提供サーバー２００から設置アプリと未設置アプリとに分類された形態により前記位置範囲に含まれるアプリのアプリ関連情報を受信する。前記アプリ関連情報は、アプリの名前、アプリ位置、アイコンを含む。一方、携帯端末機１００は、未設置アプリ関連情報を受信するとき、未設置アプリの要約情報を一緒に受信できる。これは、前記要約情報を通じてアプリに対する概略的な情報を確認した後、ユーザが未設置アプリの設置要否を決定できるようにするためである。または、携帯端末機１００は、表示中の地図領域の位置範囲のみをアプリ提供サーバー２００に伝送し、アプリ提供サーバー２００から前記地図領域の位置範囲に含まれる位置情報を有するアプリのアプリ関連情報を受信し、前記受信したアプリ関連情報と携帯端末機１００に設置された全体アプリ情報を比較し、前記設置アプリと未設置アプリを分類して表示する。すなわち、携帯端末機１００は、アプリ提供サーバー２００から受信したアプリ情報と携帯端末機１００に設置されたアプリが同一であるか否かを比較し、同一の場合、前記設置アプリに分類し、同一でない場合、前記未設置アプリに分類し、地図上にアイコン形態により表示する。
【００２７】
携帯端末機１００は、地図に表示されたアプリアイコンの第１選択（例えばタッチ）が感知されれば、第１選択されたアプリアイコンに対応するアプリを実行する。この際、携帯端末機１００は、位置情報を確認し、前記アプリが提供する多数の機能（メニュー）のうち前記確認された位置情報と関連した機能（メニュー）を行う。
【００２８】
一方、前記選択されたアプリアイコンが携帯端末機１００に未設置のアプリのアイコンである場合、携帯端末機１００は、当該アプリをダウンロードできるアプリ提供サーバー２００に接続する。その後、ダウンロード（または設置）要請し、携帯端末機１００は、アプリ提供サーバー２００からアプリをダウンロードして設置する。
【００２９】
携帯端末機１００は、地図に表示されたアプリアイコンの第２選択（例えば、ロングタッチ）が感知されれば、第２選択されたアプリアイコンに対応するアプリが提供する機能を示すメニューリストを出力する。携帯端末機１００は、メニューリストから選択された機能を実行する。一方、前記第２選択されたアプリアイコンが未設置アプリのアイコンである場合、携帯端末機１００は、当該アプリをダウンロードできるアプリ提供サーバー２００に接続する。その後、ダウンロード（または設置）要請し、携帯端末機１００は、アプリ提供サーバー２００からアプリをダウンロードして設置する。
【００３０】
携帯端末機１００は、一定範囲内のアプリを１つのグループにより表示できる。前記グループアイコンが選択（タッチ）される場合、携帯端末機１００は、グループに含まれたアプリアイコンをすべて含むポップアップ窓を出力する。または、前記携帯端末機１００は、グループに含まれたアイコンが個別に表示されるように前記地図を拡大して表示する。前記グループアイコンは、設置アプリのアイコン及び未設置アプリのアイコンを含む。携帯端末機１００は、グループアイコンに含まれたアイコンまたは前記ポップアップ窓に表示されたアイコンの第１選択または第２選択感知時に、前述した地図に表示されたアプリアイコンの第１選択または第２選択感知時と同様に動作する。
【００３１】
図２は、本発明の実施例による携帯端末機の構成を示すブロック図である。
図２を参照すれば、本発明の実施例による携帯端末機１００は、制御部１１０、格納部１２０、タッチスクリーン１３０、入力部１４０、無線通信部１５０、オーディオ処理部１６０及び位置情報受信部１７０の構成要素を含む。タッチスクリーン１３０は、表示部１３１及びタッチ感知部１３２を含む。
【００３２】
オーディオ処理部１６０は、通話時に送受信されるオーディオ信号、受信されたメッセージに含まれたオーディオ信号、格納部１２０に格納されたオーディオファイルの再生によるオーディオ信号などを出力するためのスピーカーＳＰＫ及びユーザの音声またはその他オーディオ信号を収集するためのマイクＭＩＣと連結される。このようなオーディオ処理部１６０は、本発明の実施例によるアプリ表示、実行及び設置などの運用による多様な効果音をスピーカーＳＰＫを通じて出力する。
【００３３】
入力部１４０は、数字または文字情報を入力され、各種機能を設定するための多数の入力キー及び機能キーを含む。前記機能キーは、特定機能を実行するように設定された方向キー、サイドキー及びショートカットキーなどを含む。また。入力部１４０は、ユーザ設定及び携帯端末機１００の機能制御と関連したキー信号を生成し、制御部１１０に伝達する。入力部１４０は、クォティキー（ＱＷＥＲＴＹ）パッド、３ｘ４キーパッド、４ｘ３キーパッド、ボールジョイスティック（Ｂａｌｌ  Ｊｏｙｓｔｉｃｋ）、オプチカルジョイスティック（Ｏｐｔｉｃａｌ  Ｊｏｙｓｔｉｃｋ）、ホイールキー（Ｗｈｅｅｌ  Ｋｅｙ）、タッチキー（Ｔｏｕｃｈ  ｋｅｙ）、タッチパッド（Ｔｏｕｃｈ  Ｐａｄ）、タッチスクリーン（Ｔｏｕｃｈ−ｓｃｒｅｅｎ）などの入力手段のうちいずれか１つまたはこれらの組合せにより形成される。一方、入力部１４０は、携帯端末機１００がフルタッチスクリーンを支援する場合、ボリュームキー、電源キー、メニューキー、取消キー、ホームキーなどの一部の機能キーのみを含む。特に、本発明による入力部１４０は、アプリ提供手続を制御するための多様な入力信号、例えば、地図アプリの実行を要請するための入力信号、地図の拡大／縮小を要請する入力信号、地図に表示されたアプリの実行のための入力信号、未設置アプリのダウンロード及び設置を要請する入力信号などを生成し、制御部１１０に伝送する。
【００３４】
位置情報受信部１７０は、多様な方法を通じて携帯端末機１００の現在位置を確認する。例えば、位置情報受信部１７０は、ＧＰＳ（Ｇｌｏｂａｌ  Ｐｏｓｉｔｉｏｎｉｎｇ  Ｓｙｓｔｅｍ）、ＧＮＳＳ（Ｇｌｏｂａｌ  Ｎａｖｉｇａｔｉｏｎ  Ｓａｔｅｌｌｉｔｅ  Ｓｙｓｔｅｍ）、ＧＡＬＩＬＥＯなどの衛星航法装置を通じて携帯端末機１００の現在位置を確認する。または、位置情報受信部１７０は、多数の基地局、例えば３個以上の基地局から受信される無線信号を利用して位置を計算する三角測量法を通じて携帯端末機１００の現在位置を確認する。または、位置情報受信部１７０は、位置を知っている周辺のＡＰ（Ａｃｃｅｓｓ  Ｐｏｉｎｔ）を利用して携帯端末機１００の現在位置を確認する。このような携帯端末機１００の位置確認方法は、公知の技術であって、本発明の技術分野における通常の知識を有する者において自明なので、詳細な説明は省略する。
【００３５】
無線通信部１５０は、携帯端末機１００の無線通信機能を支援し、携帯端末機１００が移動通信（例えば、３Ｇまたは４Ｇ規格の移動通信）機能を支援する場合、移動通信モジュールを含む。無線通信部１５０は、送信される信号の周波数を上昇変換及び増幅するＲＦ（Ｒａｄｉｏ  Ｆｒｅｑｕｅｎｃｙ）送信部（図示せず）及び受信される信号を低雑音増幅し、周波数を下降変換するＲＦ受信部（図示せず）などを含む。特に、本発明による無線通信部１５０は、アプリ提供サーバー２００に位置範囲を伝送し、アプリ提供サーバー２００から前記位置範囲に含まれる位置情報を有するアプリの情報を受信する。また、無線通信部１５０は、制御部１１０の制御下に携帯端末機１００に設置されたアプリのうち位置情報を有しないアプリの位置情報を前記アプリ提供サーバー２００に要請して受信できる。また、無線通信部１５０は、地図提供サーバー３００から地図データまたは地図のアップデートのためのアップデートデータを受信する。
【００３６】
タッチスクリーン１３０は、入力機能及び表示機能を実行する。このためにタッチスクリーン１３０は、表示部１３１及びタッチ感知部１３２を含む。
【００３７】
表示部１３１は、携帯端末機１００の各種メニューを含めてユーザが入力した情報またはユーザに提供するための情報を表示する。表示部１３１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などにより形成される。表示部１３１は、携帯端末機１００の利用による多様な画面、例えばホーム画面、メニュー画面、ウェブページ画面、通話画面などを提供する。特に、本発明の実施例による表示部１３１は、アプリ提供のための多様な画面、例えばアプリアイコンまたはグループアイコンが表示された地図画面、選択されたアプリの実行画面、未設置アプリをダウンロード及び設置できるアプリ提供画面などを表示する。このような表示部１３１の画面に対する詳細な説明は、画面例示図を参照して後述する。
【００３８】
タッチ感知部１３２は、入力機能を提供するための装置であって、タッチ入力装置、例えばユーザの指、スタイラス（Ｓｔｙｌｕｓ）、電子ペンなどが接触または近接する場合、タッチイベントを生成し、前記生成されたタッチイベントを制御部１１０に伝達する。詳細には、タッチ感知部１３２は、タッチ入力装置の接触または近接による物理量（例えば静電容量、抵抗値など）の変化によってタッチイベントの発生を認識し、発生したタッチイベントの種類（タップ（Ｔａｐ）、タッチ移動（ドラッグ（Ｄｒａｇ）、フリック（Ｆｌｉｃｋ）など）、ロングタッチ（Ｌｏｎｇ  ｔｏｕｃｈ）、ダブルタッチ（Ｄｏｕｂｌｅ  ｔｏｕｃｈ）、マルチタッチ（Ｍｕｌｔｉ−ｔｏｕｃｈ）など）及びタッチ位置情報を制御部１１０に伝達する。タッチ感知部１３２は、本発明の技術分野における通常の知識を有する者において自明なものなので、詳細な説明を省略する。特に、本発明によるタッチ感知部１３２は、アプリ提供手続を制御するための多様なタッチ信号を生成し、これを制御部１１０に伝送する。このようなタッチ信号は、後述する画面例示図を参照して詳しく説明する。
【００３９】
格納部１２０は、携帯端末機１００の運営体制（Ｏｐｅｒａｔｉｎｇ  Ｓｙｓｔｅｍ、ＯＳ）を含めて、その他オプション（ｏｐｔｉｏｎｓ）機能、例えば、音再生機能、イメージまたは動画再生機能、放送再生機能、インターネット接続機能、文字メッセージ機能、地図サービス機能などに必要な応用プログラム（以下、アプリ）を格納する。また、格納部１２０は、多様なデータ、例えば、動画データ、ゲームデータ、音楽データ、映画データ、地図データなどを格納する。特に、本発明による格納部１２０は、位置情報を有する設置アプリを格納する。前記設置アプリは、位置情報及びメニュー情報を含むマニフェストファイルを含む。例えば、前記マニフェストファイルは、下記表１に示した通りである。
【表１】
2014211866.tif 000003
【００４０】
表１を参照すれば、前記マニフェストファイルは、緯度、経度、アドレス情報のような位置情報と映画前売りメニューと上映中の映画メニューを含んでいることが分かる。
【００４１】
また、格納部１２０は、未設置アプリのアイコン、アプリの名前、位置情報及び要約情報を格納する。格納部１２０は、多数のアイコンを１つのグループアイコンにより表示するための基準値を格納する。前記基準値は、アプリアイコン間の画面上の距離（例えば１ｃｍ）である。例えば、画面上の距離を基準として１ｃｍ以内に表示された多数のアプリアイコンは、１つのグループにより表示される。または、前記基準値は、セル（ｃｅｌｌ）になることができる。例えば、前記地図は、既定の多数個（例えば２０ｘ１０（横モード基準））のセルに分割され、各セルに含まれる多数のアプリアイコンは、１つのグループアイコンにより表示できる。
【００４２】
制御部１１０は、携帯端末機１００の全般的な動作及び携帯端末機１００の内部ブロック間の信号フローを制御し、データを処理するデータ処理機能を実行する。例えば、制御部１１０は、中央処理装置（Ｃｅｎｔｒａｌ  Ｐｒｏｃｅｓｓｉｎｇ  Ｕｎｉｔ、ＣＰＵ）、アプリケーションプロセッサ（Ａｐｐｌｉｃａｔｉｏｎ  Ｐｒｏｃｅｓｓｏｒ）などにより形成される。制御部１１０は、シングルコアプロセッサ（ｓｉｎｇｌｅ  ｃｏｒｅ  ｐｒｏｃｅｓｓｏｒ）またはマルチコアプロセッサ（ｍｕｌｔｉ−ｃｏｒｅ  ｐｒｏｃｅｓｓｏｒ）により形成される。制御部１１０は、設置アプリまたは設置可能なアプリを地図上の当該位置に表示し、前記表示されたアプリの実行または設置などを制御する。制御部１１０に対する詳細な説明は、図３乃至図９を参照して後述する。
【００４３】
一方、図２に示されていないが、携帯端末機１００は、イメージ／動画撮影または画像通話のためのカメラモジュール、放送受信のための放送受信モジュール、ＭＰ３モジュールのようなデジタル音源再生モジュール及びインターネット機能を行うインターネット通信モジュール（例えばワイファイ（Ｗｉ−Ｆｉ通信モジュール））などの付加機能を有する構成要素を選択的にさらに含むことができる。このような構成要素は、デジタル機器のコンバージェンス（ｃｏｎｖｅｒｇｅｎｃｅ）傾向によって変形が非常に多様で、すべて列挙することはできないが、本発明による携帯端末機１００は、前記言及された構成要素と同一の水準の構成要素をさらに含むことができる。
【００４４】
図３は、本発明の実施例による携帯端末機のアプリ表示方法を説明するためのフローチャートであり、図４及び図５は、本発明の実施例による携帯端末機のアプリ表示方法を説明するための画面例示図である。
【００４５】
図３乃至図５を参照すれば、本発明の実施例による携帯端末機１００の制御部１１０は、３１１段階において、地図表示要請が感知されるかを確認する。前記地図表示要請は、地図アプリの実行時に感知される。前記地図表示要請が感知されない場合、制御部１１０は、３１３段階に進行し、当該機能を実行する。例えば、制御部１１０は、音楽再生機能、インターネット接続機能、動画再生機能などを行うか、または待機状態（ｉｄｌｅ  ｓｔａｔｅ）を維持する。
【００４６】
一方、前記地図表示要請が感知される場合、制御部１１０は、３１５段階に進行し、地図を表示する。この際、制御部１１０は、位置情報受信部１７０を通じて携帯端末機１００の現在位置を確認し、携帯端末機１００の現在位置を基準として一定の比率（縮尺）の地図を表示する。または、制御部１１０は、ユーザが最も最近表示した地図を表示する。前記一定の比率（縮尺）は、デフォルト値に設定された比率（縮尺）またはユーザが最も最近使用した比率（縮尺）になる。
【００４７】
制御部１１０は、３１７段階において、画面に表示中の地図の位置範囲を確認する。制御部１１０は、３１９段階において、前記地図の位置範囲に含まれる位置情報を有するアプリを検索する。前記位置情報は、緯度及び経度、またはアドレス情報になる。前記アプリ検索は、携帯端末機１００に設置された設置アプリの検索及び携帯端末機１００に未設置の未設置アプリの検索を含む。前記未設置アプリ検索は、アプリ提供サーバー２００を利用する。
【００４８】
さらに詳しく説明すれば、制御部１１０は、携帯端末機１００に事前に設置されたアプリの位置情報と前記表示中の地図の位置範囲を比較し、前記設置アプリを検索する。また、制御部１１０は、表示中の地図領域の位置範囲及び携帯端末機１００に設置された設置アプリの全体情報または前記地図領域の位置範囲に含まれる設置アプリの情報のみをアプリ提供サーバー２００に伝送し、アプリ提供サーバー２００から前記未設置アプリ関連情報を受信する。
【００４９】
さらに他の方法として、携帯端末機１００は、表示中の地図領域の位置範囲をアプリ提供サーバー２００に伝送し、アプリ提供サーバー２００から前記地図領域の位置範囲に含まれる位置情報を有するアプリに対するアプリ関連情報を受信する。この際、前記設置アプリと未設置アプリの分類は、携帯端末機１００またはアプリ提供サーバー２００において行われる。携帯端末機１００において設置アプリと未設置アプリを分類する場合、制御部１１０は、前記受信されたアプリ情報と携帯端末機１００に設置された全体アプリの位置情報を比較し、前記設置アプリと未設置アプリを分類して表示する。すなわち、制御部１１０は、アプリ提供サーバー２００から受信したアプリ情報と携帯端末機１００に設置されたアプリの同一性を比較し、同一の場合、前記設置アプリに分類し、同一でない場合、前記未設置アプリに分類する。一方、アプリ提供サーバー２００において設置アプリと未設置アプリを分類する場合、アプリ提供サーバー２００は、地図の位置範囲受信時に、携帯端末機１００から設置アプリに対する情報を一緒に伝送されるか、または携帯端末機１００のアプリダウンロード及び設置履歴を管理する。
【００５０】
前述した方法を通じてアプリ検索が完了すれば、制御部１１０は、３２１段階において、検索されたアプリのアイコンを表示中の地図の当該位置に表示する。この際、制御部１１０は、設置アプリと未設置アプリとが視覚的に区分されるように表示する。例えば、図４に示したように、前記地図は、多数の個体を含み、各個体の位置情報とアプリに含まれた位置情報を比較し、一致するアプリのアイコンを当該個体として表示する。この際、制御部１１０は、携帯端末機１００に設置されたアプリのアイコン４１を第１明度により表示し、携帯端末機１００に未設置のアプリのアイコン４２を第２明度により表示する。これは、一例に過ぎず、本発明がこれに限定されず、視覚的に区分できる多様な方法を利用して前記設置アプリのアイコン４１と未設置アプリのアイコン４２を表示する。
【００５１】
また、制御部１１０は、前記地図の一定範囲内に位置する多数のアプリアイコンを１つのグループアイコンにより表示できる。例えば、図５の参照符号５１０の図面に示したように、制御部１１０は、一定範囲内に多数のアプリアイコンが位置する場合、前記多数のアプリアイコンを１つのグループアイコン４３により表示する。この際、前記グループアイコン４３は、一定個数以下の小（ｓｍａｌｌ）アイコンで構成される。前記小アイコンは、グループに含まれたアイコンのうち優先順位（例えば、最近利用した順序、利用頻度、設置順序など）が高いアプリのアイコンになる。制御部１１０は、グループアイコン４３に含まれた小アイコンの第１タッチイベント（例えばタップ）感知時に当該アプリを実行する。また、制御部１１０は、前記グループアイコン４３の第２タッチイベント（例えばロングタッチ）感知時に、参照符号５２０の図面に示したように、グループに含まれたアプリアイコン４４ａ、４４ｂ、４４ｃ、４４ｄ、４４ｅ、４４ｆをすべて含むポップアップ窓４４を表示する。または、前記グループアイコン４３の第２タッチイベント（例えばロングタッチ）感知時に、制御部１１０は、参照符号５３０の図面に示したように、前記グループに含まれたアプリアイコン４４ａ、４４ｂ、４４ｃ、４４ｄ、４４ｅ、４４ｆが個別に表示されるように前記地図を拡大して表示する。
【００５２】
一方、前記地図の拡大、縮小または移動が発生し、画面に表示される地図の領域が変更される度に、制御部１１０は、前述した３１７段階乃至３１９段階を進行する。
【００５３】
また、制御部１１０は、未設置アプリ関連情報（アプリの名前、位置情報、アイコン）を受信するとき、未設置アプリの要約情報を一緒に受信できる。これは、前記要約情報を通じてユーザが未設置アプリの設置要否を簡単に決定できるようにするためである。
【００５４】
以上においては、一定範囲内に多数のアイコンが存在する場合、グループアイコンにより表示するものと説明したが、本発明の他の実施例は、一定範囲以内に既定の一定個数以上のアプリが位置する場合、前記多数のアプリを１つのグループにより表示する。この際、前記一定個数は、地図の縮尺によって異なる値に設定できる。
【００５５】
図６は、本発明の実施例による携帯端末機のアプリ実行及び設置方法を説明するためのフローチャートであり、図７乃至図９は、本発明の実施例による携帯端末機のアプリ実行及び設置方法を説明するための画面例示図である。
【００５６】
図６乃至図９を参照すれば、本発明の実施例による制御部１１０は、６０１段階において、地図を表示する。制御部１１０は、６０３段階において、特定アプリアイコンにおいて第１タッチイベント（例えばタップ）発生が感知されるか否かを確認する。前記第１タッチイベント発生が感知される場合、制御部１１０は、６０５段階に進行し、前記特定アプリアイコンが携帯端末機１００に設置されたアプリのアイコンであるか否かを確認する。前記特定アプリアイコンが携帯端末機１００に設置されたアプリのアイコンである場合、制御部１１０は、６０７段階に進行し、前記特定アプリアイコンに対応するアプリを実行する。例えば、図７の参照符号７１０の図面に示したように、劇場アイコン７１の第１タッチイベント（例えばタップ）が感知される場合、制御部１１０は、劇場アイコン７１に対応する劇場アプリを実行させ、参照符号７２０の図面に示したように、劇場アプリの実行画面を表示するように表示部１３１を制御する。
【００５７】
次に、制御部１１０は、６０９段階において、特定アプリの終了が感知されるかを確認する。前記特定アプリの終了が感知される場合、制御部１１０は、６０１段階に戻る。一方、前記特定アプリの終了が感知されない場合、制御部１１０は、６１０段階に進行し、前記実行された特定アプリの運用を制御し、６０９段階に戻る。
【００５８】
一方、６０５段階において、前記特定アプリアイコンが携帯端末機１００に設置されたアプリのアイコンではない場合、制御部１１０は、６１１段階に進行し、アプリ提供サーバー２００に接続し、６１３段階において、アプリ提供画面を表示するように表示部１３１を制御する。例えば、図８の参照符号８１０の図面に示したように、未設置アプリのうち銀行アイコン８１の第１タッチイベント（例えばタップ）が感知される場合、制御部１１０は、参照符号８２０の図面に示したアプリ提供画面を表示する。一方、以上においては、未設置アプリの第１タッチイベント感知時に、アプリ提供サーバー２００にすぐ接続するものと説明したが、本発明の他の実施例においては、未設置アプリの第１タッチイベント感知時アプリ提供サーバー２００の接続可否を確認するポップアップ窓を出力した後、ユーザの選択によってアプリ提供サーバー２００に接続する。
【００５９】
次に、制御部１１０は、６１５段階において、設置要請が感知されるかを確認する。前記設置要請が感知される場合、制御部１１０は、６１７段階に進行し、アプリをダウンロードして設置する。前記アプリの設置が完了すれば、制御部１１０は、６０１段階に戻る。一方、６１５段階において、設置要請が感知されない場合、制御部１１０は、６１９段階に進行し、アプリ提供サーバー２００への接続終了が感知されるかを確認する。アプリ提供サーバー２００への接続終了が感知される場合、制御部１１０は、６０１段階に戻り、アプリ提供サーバー２００への接続終了が感知されない場合、６１５段階に戻る。
【００６０】
一方、６０３段階において、特定アプリアイコンに第１タッチイベント（例えばタップ）発生が感知されない場合、制御部１１０は、６２１段階に進行し、特定アプリアイコンに第２タッチイベント（例えばロングタッチ）発生が感知されるか否かを確認する。前記特定アプリアイコンに第２タッチイベント発生が感知される場合、制御部１１０は、６２３段階に進行し、前記特定アプリアイコンが携帯端末機１００に設置されたアプリのアイコンであるかを確認する。６２３段階において、特定アプリアイコンが携帯端末機１００に設置されたアプリのアイコンではない場合、制御部１１０は、６１１段階に進行する。一方、６２３段階において、特定アプリアイコンが携帯端末機１００に設置されたアプリのアイコンである場合、制御部１１０は、６２５段階に進行し、実行可能な機能を示すメニューリストを表示する。このために、前記実行可能なメニューは、前記特定アイコンのマニフェストファイルに含まれている。
【００６１】
制御部１１０は、６２７段階において、前記メニューリストの特定メニューが選択されるかを確認する。６２７段階において、特定メニューが選択される場合、制御部１１０は、６２９段階に進行し、選択されたメニュー運用を制御する。例えば、図９の参照番号９１０の図面に示したように、劇場アイコン７１の第２タッチイベント（ロングタッチ）が感知されれば、制御部１１０は、劇場アイコン７１の実行可能な機能を示すメニューリスト窓９０を出力する。メニューリスト窓９０において映画前売りメニューが選択（タッチ）されれば、制御部１１０は、参照符号９２０の図面に示したように、映画前売り画面を表示するように表示部１３１を制御する。この際、ユーザは、映画前売り画面を通じて映画前売りを行うことができる。
【００６２】
制御部１１０は、６３１段階において、特定アプリ終了が感知されるか否かを確認する。制御部１１０は、前記特定アプリ終了が感知されない場合、６２９段階に戻り、前記特定アプリ終了が感知される場合、６０１段階に戻る。
【００６３】
一方、６２７段階において、特定メニューが選択されない場合、制御部１１０は、６３３段階に進行し、特定アプリ終了が感知されるか否かを確認する。制御部１１０は、前記特定アプリ終了が感知されない場合、６２７段階に戻り、前記特定アプリ終了が感知される場合、６０１段階に戻る。
【００６４】
一方、６２１段階において、特定アプリアイコンの第２タッチイベント（例えばロングタッチ）発生が感知されない場合、制御部１１０は、６３５段階に進行し、地図表示終了が感知されるか否かを確認する。前記地図表示終了が感知されない場合、制御部１１０は、６０３段階に戻る。一方、前記地図表示終了が感知される場合、制御部１１０は、地図表示を終了する。
【００６５】
前述したような本発明の実施例による携帯端末機のアプリ提供方法は、多様なコンピュータ手段を通じて行われることができるプログラム命令形態により具現され、コンピュータにより読み取り可能な記憶媒体に記録できる。この際、前記コンピュータにより読み取り可能な記憶媒体は、プログラム命令、データファイル、データ構造などを単独でまたは組み合わせて含む。一方、記憶媒体に記録されるプログラム命令は、本発明のために特別に設計され構成されたものであるか、またはコンピュータソフトウェア当業者に公知の使用可能なものであってもよい。前記コンピュータにより読み取り可能な記憶媒体には、ハードディスク、フロッピー（登録商標）ディスク及び磁気テープのような磁気媒体（Ｍａｇｎｅｔｉｃ  Ｍｅｄｉａ）、ＣＤ−ＲＯＭ、ＤＶＤのような光記憶媒体（Ｏｐｔｉｃａｌ  Ｍｅｄｉａ）、フロップチカルディスク（Ｆｌｏｐｔｉｃａｌ  Ｄｉｓｋ）のような磁気−光媒体（Ｍａｇｎｅｔｏ−ＯｐｔｉｃａｌＭｅｄｉａ）及びＲＯＭ、ＲＡＭ、フラッシュメモリなどのプログラム命令を格納し実行するように特別に構成されたハードウェア装置が含まれる。また、プログラム命令には、コンパイラーによって作られるもののような機械語コードだけでなく、インタプリターなどを使用してコンピュータによって実行される高級言語コードを含む。前述したハードウェア装置は、本発明の動作を行うために１つ以上のソフトウェアモジュールとして作動するように構成される。
【００６６】
以上においては、本発明の実施例による携帯端末機のアプリ提供方法及びシステムについて本明細書及び図面を通じて好ましい実施例について説明し、その説明には特定用語を使用したが、これは、ただ本発明の技術内容を容易に説明し、発明の理解を助けるために一般的な意味として使用したに過ぎず、本発明が前述した実施例に限定されるものではない。すなわち、本発明の技術的思想に基づく多様な実施例が可能であることは、本発明の属する技術分野における通常の知識を有する者に自明である。
【符号の説明】
【００６７】
４１  設置アプリのアイコン
４２  未設置アプリのアイコン
４４  ポップアップ窓
４４ａ、４４ｂ、４４ｃ、４４ｄ、４４ｅ、４４ｆ  アプリアイコン
７１  劇場アイコン
８１  銀行アイコン
９０  メニューリスト窓
１００  携帯端末機
１１０  制御部
１２０  格納部
１３０  タッチスクリーン
１３１  表示部
１３２  タッチ感知部
１４０  入力部
１５０  無線通信部
１６０  オーディオ処理部
１７０  位置情報受信部
２００  アプリ提供サーバー
３００  地図提供サーバー
【図１】
2014211866.tif 000004
【図２】
2014211866.tif 000005
【図３】
2014211866.tif 000006
【図４】
2014211866.tif 000007
【図５】
2014211866.tif 000008
【図６】
2014211866.tif 000009
【図７】
2014211866.tif 000010
【図８】
2014211866.tif 000011
【図９】
2014211866.tif 000012